(57)【要約】【課題】遊技媒体回収ダクトとの接触からケーブルを保護可能な遊技機の提供を目的とする。【解決手段】本発明のパチンコ遊技機１０では、パチンコ遊技機１０の後面に取り付けられる遊技島１００の遊技球回収ダクト１０１と、パチンコ遊技機１０の後面のうち遊技球回収ダクト１０１の側方に固定される発射制御回路５０から、遊技球回収ダクト１０１側へ延びるケーブルとの間に外側ケーブルカバー壁６１が設けられている。これにより、遊技球回収ダクト１０１とケーブル４５との接触を防ぐことができる。さらに、外側ケーブルカバー壁６１より中枠９０側に配置されて外側ケーブルカバー壁６１との間でケーブル４５を挟んで対向する内側ケーブルカバー壁６２を設けたので発射制御回路５０の側面から緩やかに屈曲してケーブル挿通孔９０Ｋへと案内されるので、ケーブル４５への負荷が抑えられる。【選択図】図４
2008245947.tif 000002
【特許請求の範囲】
【請求項１】
遊技場に備えた遊技媒体回収ダクトに連絡されるダクト連絡部を後面に備え、遊技に利用された遊技媒体をダクト連絡部を介して前記遊技媒体回収ダクトに排出し、
前記ダクト連絡部の近傍にケーブルが取り廻された遊技機において、
遊技機の後面のうち前記遊技媒体回収ダクトの側方位置に固定された第１電子機器と、
前記第１電子機器とは異なる第２電子機器と、
遊技機の後面のうち前記第１電子機器に対して前記遊技媒体回収ダクト寄りの斜め前方に貫通形成されたケーブル挿通孔とを備え、
前記ケーブルは、前記ケーブル挿通孔に通されると共に、そのケーブルの一端部が前記第２電子機器に接続される一方、前記ケーブルの他端部が前記第１電子機器の後面又は側面に接続され、
前記第１電子機器の側方位置から前記ケーブル挿通孔側に向かって斜め前方に延びた外側ケーブルカバー壁と、その外側ケーブルカバー壁より前側に配置されて前記外側ケーブルカバー壁との間で前記ケーブルを挟んで対向した内側ケーブルカバー壁とを設けたことを特徴とする遊技機。
【請求項２】
前記ダクト連絡部は、下方を向いて開放した遊技媒体排出口を有し、
遊技機の後面のうち前記遊技媒体排出口の下方に、前記遊技媒体回収ダクトが端部開口を上方に向けた状態にして配置されるダクト配置部が備えられたことを特徴とする請求項１に記載の遊技機。
【請求項３】
前記外側及び内側のケーブルカバー壁の上端部の間を連絡した遊技媒体侵入防止壁を設けたことを特徴とする請求項１又は２に記載の遊技機。
【請求項４】
前記内側ケーブルカバー壁のうち前記内側ケーブルカバー壁との反対面を窪ませて突部収容凹部を形成して、遊技機の後面から突出した突出部分が前記突部収容凹部に受容されたことを特徴とする請求項１乃至３に記載の遊技機。
【請求項５】
前記外側及び内側のケーブルカバー壁の下端部の間を開放し、その開放部分から前記外側及び内側のケーブルカバー壁の間に前記ケーブルを収容可能としたことを特徴とする請求項１乃至４の何れかに記載の遊技機。
【請求項６】
前記外側及び内側のケーブルカバー壁の間隔が下方に向けて徐々に広がっていることを特徴とする請求項５に記載の遊技機。
【請求項７】
前記内側ケーブルカバー壁は、その下縁部における両端部の２位置と、上縁部の１位置とを結ぶ線を稜線にして屈曲して複数の三角壁部に区画されると共に、それら２つの稜線に挟まれた中央の三角壁部が下方に向かって前記外側ケーブルカバー壁から離れるように傾斜したことを特徴とする請求項５又は６に記載の遊技機。
【請求項８】
前記第１電子機器の側面に、前記ケーブルを保持するためのフックが形成され、
前記ケーブルは、前記第１電子機器の後面から引き出されて側方に屈曲し、前記フックの内側を通って前記外側と内側のケーブルカバー壁の間に配置されたことを特徴とする請求項１乃至７の何れかに記載の遊技機。
【請求項９】
前記第２電子機器は、モーターを駆動源として備えた遊技球発射装置であって、
前記第１電子機器は、その遊技球発射装置を駆動制御するための発射制御回路であることを特徴とする請求項１乃至８の何れかに記載の遊技機。
【発明の詳細な説明】
【技術分野】
【０００１】
本発明は、遊技場に備えた遊技媒体回収ダクトに遊技に利用された遊技媒体を排出可能な遊技機に関する。
【背景技術】
【０００２】
一般に、この種の遊技機として、例えば、遊技媒体回収ダクトの端部が連絡されるダクト連絡部を後面に備えたパチンコ遊技機が知られている。また、パチンコ遊技機の後面のうち遊技媒体回収ダクトの端部の側方位置には、例えば、回路基板を基板ケースに収容してなる電子機器が備えられ、その電子機器の後面又は側面から延びたケーブルが電気機器の側面に沿って前方に取り廻されていた。（例えば、特許文献１参照）。
【特許文献１】特開２００３−２２０２６８号公報（［００３４］［００４４］、第１０図）
【発明の開示】
【発明が解決しようとする課題】
【０００３】
ところで、遊技媒体回収ダクトは、遊技場によって大きさが異なる場合がある。そして、従来の遊技機では、比較的大きな遊技媒体回収ダクトがある遊技場に遊技機が取り付けられると、上記した電子機器のケーブルが遊技媒体回収ダクトに接触して、ケーブルが損傷する場合が生じ得た。
【０００４】
本発明は、上記事情に鑑みてなされたもので、遊技媒体回収ダクトとの接触からケーブルを保護可能な遊技機の提供を目的とする。
【課題を解決するための手段】
【０００５】
上記目的を達成するためになされた請求項１の発明に係る遊技機は、遊技場に備えた遊技媒体回収ダクトに連絡されるダクト連絡部を後面に備え、遊技に利用された遊技媒体をダクト連絡部を介して遊技媒体回収ダクトに排出し、ダクト連絡部の近傍にケーブルが取り廻された遊技機において、遊技機の後面のうち遊技媒体回収ダクトの側方位置に固定された第１電子機器と、第１電子機器とは異なる第２電子機器と、遊技機の後面のうち第１電子機器に対して遊技媒体回収ダクト寄りの斜め前方に貫通形成されたケーブル挿通孔とを備え、ケーブルは、ケーブル挿通孔に通されると共に、そのケーブルの一端部が第２電子機器に接続される一方、ケーブルの他端部が第１電子機器の後面又は側面に接続され、第１電子機器の側方位置からケーブル挿通孔側に向かって斜め前方に延びた外側ケーブルカバー壁と、その外側ケーブルカバー壁より前側に配置されて外側ケーブルカバー壁との間でケーブルを挟んで対向した内側ケーブルカバー壁とを設けたところに特徴を有する。
【０００６】
請求項２の発明は、請求項１に記載の遊技機において、ダクト連絡部は、下方を向いて開放した遊技媒体排出口を有し、遊技機の後面のうち遊技媒体排出口の下方に、遊技媒体回収ダクトが端部開口を上方に向けた状態にして配置されるダクト配置部が備えられたところに特徴を有する。
【０００７】
請求項３の発明は、請求項１又は２に記載の遊技機において、外側及び内側のケーブルカバー壁の上端部の間を連絡した遊技媒体侵入防止壁を設けたところに特徴を有する。
【０００８】
請求項４の発明は、請求項１乃至３に記載の遊技機において、内側ケーブルカバー壁のうち内側ケーブルカバー壁との反対面を窪ませて突部収容凹部を形成して、遊技機の後面から突出した突出部分が突部収容凹部に受容されたところに特徴を有する。
【０００９】
請求項５の発明は、請求項１乃至４の何れかに記載の遊技機において、外側及び内側のケーブルカバー壁の下端部の間を開放し、その開放部分から外側及び内側のケーブルカバー壁の間にケーブルを収容可能としたところに特徴を有する。
【００１０】
請求項６の発明は、請求項５に記載の遊技機において、外側及び内側のケーブルカバー壁の間隔が下方に向けて徐々に広がっているところに特徴を有する。
【００１１】
請求項７の発明は、請求項５又は６に記載の遊技機において、内側ケーブルカバー壁は、その下縁部における両端部の２位置と、上縁部の１位置とを結ぶ線を稜線にして屈曲して複数の三角壁部に区画されると共に、それら２つの稜線に挟まれた中央の三角壁部が下方に向かって外側ケーブルカバー壁から離れるように傾斜したところに特徴を有する。
【００１２】
請求項８の発明は、請求項１乃至７の何れかに記載の遊技機において、第１電子機器の側面に、ケーブルを保持するためのフックが形成され、ケーブルは、第１電子機器の後面から引き出されて側方に屈曲し、フックの内側を通って外側と内側のケーブルカバー壁の間に配置されたところに特徴を有する。
【００１３】
請求項９の発明は、請求項１乃至８の何れかに記載の遊技機において、第２電子機器は、モーターを駆動源として備えた遊技球発射装置であって、第１電子機器は、その遊技球発射装置を駆動制御するための発射制御回路であるところに特徴を有する。
【発明の効果】
【００１４】
［請求項１の発明］
請求項１の遊技機では、ダクト連絡部を後面に有し、遊技機の後面のうち遊技媒体回収ダクトの側方位置に第１電子機器が固定されている。そして、遊技機の後面のうち第１電子機器に対して遊技媒体回収ダクト寄りの斜め前方に貫通形成されたケーブル挿通孔にケーブルが通され、そのケーブルの一端部が第２電子機器に接続される一方、ケーブルの他端部が第１電子機器の後面又は側面に接続されている。また、第１電子機器のうち遊技媒体回収ダクト側の側面における後端寄り位置からケーブル挿通孔側に向かって斜め前方に延びた外側ケーブルカバー壁が、ケーブルと遊技媒体回収ダクトとの間を隔絶し、遊技媒体回収ダクトとの接触からケーブルを保護することができる。
【００１５】
さらに、ケーブルは、外側ケーブルカバー壁と内側ケーブルカバー壁との間に挟まれることで、第１電子機器の後面又は側面からケーブル挿通孔へと案内されやすくなるので、ケーブルへの負荷が抑えられる。
【００１６】
このように本発明によれば、遊技機に対する遊技媒体回収ダクトへの取り付け作業を妨げずに、遊技媒体回収ダクトとの接触からケーブルを保護することができる。
【００１７】
［請求項２及び３の発明］
請求項２の構成によれば、遊技媒体排出口から遊技媒体回収ダクトの端部開口に遊技媒体が排出されるので、遊技媒体を遊技媒体回収ダクトを介して回収することができる。また、請求項３の構成によれば、例えば、遊技媒体が遊技媒体回収ダクトから逸れて外側及び内側のケーブルカバー壁上に落下しても、それら外側及び内側のケーブルカバー壁の上端部の間は、遊技媒体侵入防止壁によって塞がれているので、遊技媒体が外側及び内側のケーブルカバー壁の間に入り込む虞を低減することができる。
【００１８】
［請求項４の発明］
請求項４の構成によれば、内側ケーブルカバー壁に形成された突部収容凹部に、例えば、内側のケーブルカバー壁の前面に配置した第２電子機器などの凸部を受容して、スペースの有効利用が図られる。
【００１９】
［請求項５及び６の発明］
請求項５の構成によれば、外側及び内側のケーブルカバー壁の下端部の間を開放しているので、外側及び内側のケーブルカバー壁の間に下方からケーブルを容易に収容することができる。また、請求項６の構成によれば、外側及び内側のケーブルカバー壁の間隔が下方に向けて徐々に広がっているので、ケーブルの外側及び内側のケーブルカバー壁の間への収容作業が容易になる。
【００２０】
［請求項７の発明］
請求項７の構成によれば、内側ケーブルカバー壁を複数の三角壁部に区画し、そのうち中央の三角壁部を傾斜させることで、外側及び内側のケーブルカバー壁の間隔が下方に向けて徐々に広がり、ケーブルの外側及び内側のケーブルカバー壁の間への収容作業が容易になる。また、隣り合った三角壁部同士の屈曲に沿ってケーブルを緩やかに湾曲させることができ、ケーブルの負荷が抑えられる。
【００２１】
［請求項８の発明］
請求項８の構成によれば、第１電子機器の後面に接続されたケーブルが第１電子機器の側面に形成されたフックの内側を通って外側と内側のケーブルカバー壁の間に配置されているので、第１電子機器の後面から外側と内側のケーブルカバー壁までの間でケーブルが広がって遊技媒体回収ダクトに接触する事態を避けることができる。
【００２２】
［請求項９の発明］
請求項９の構成によれば、遊技球発射装置と発射制御回路との間のケーブルを遊技媒体回収ダクトとの接触から保護することができる。
【発明を実施するための最良の形態】
【００２３】
以下、本発明を適用したパチンコ遊技機１０に係る一実施形態を、図１〜図９に基づいて説明する。図１に示すように、本実施形態のパチンコ遊技機１０の遊技板１１には、ガイドレール１２で囲まれたほぼ円形の遊技領域Ｒ１が形成され、その遊技領域Ｒ１の中央部に表示装置１３が備えられている。遊技領域Ｒ１のうち表示装置１３より下方には、始動入賞口１４、大入賞口１５及びアウト口１６が、上から順に間隔を開けて並べて設けられている。また、遊技領域Ｒ１のうち表示装置１３の両側には、ランプ風車１７、始動ゲート１８、風車１９、一般入賞口２０，２１がそれぞれ設けられ、遊技領域Ｒ１全体に亘って、図示しない複数の障害釘が起立している。さらに、ガイドレール１２に沿った両側端部には、サイドランプ２２，２２が設けられている。
【００２４】
また、遊技板１１の前面側は前面枠１０Ｚにて覆われ、その前面枠１０Ｚに形成されたガラス窓１０Ｗを通して上記遊技領域Ｒ１が前方に臨んでいる。ガラス窓１０Ｗの上方には、装飾ランプ３５が設けられ、前面枠１０Ｚの上側の両角部にはスピーカ５６Ｓが備えられている。また、ガラス窓１０Ｗより下方には、上皿２７Ａ及び下皿２７Ｂが上下２段にして設けられている。そして、上皿２７Ａに備えたボタン２９Ａを押すと上皿２７Ａに収容されている遊技球（本発明の「遊技媒体」に相当する）が下皿２７Ｂへと移動する。また、下皿２７Ｂの左端部には演出ボタン２９Ｂが備えられ、右端部には操作ノブ２８が設けられている。
【００２５】
操作ノブ２８を操作すると、前面枠１０Ｚの内部で操作ノブ２８に対応する部分に備えられた後述する遊技球発射装置４０が作動し、上皿２７Ａに貯留された複数の遊技球が、順次、遊技領域Ｒ１の上部に打ち込まれる。遊技領域Ｒ１を流下する遊技球は、その過程で幾つかの遊技球は何れかの入賞口１４，１５，２０，２１に入球し、何れの入賞口にも入球しなかった遊技球は、アウト口１６に入球する。そして、各入賞口１４，１５，２０，２１及びアウト口１６に入った遊技球は、遊技板１１に設けた図示しない貫通孔を通って、遊技板１１の裏側に回収される。
【００２６】
次に所要の各部位についてさらに詳説する。始動ゲート１８は、遊技球が潜って通過可能な門形構造をなし、通過した遊技球は、その始動ゲート１８に内蔵したゲートスイッチによって検出される。そして、その検出信号に基づいて、後述する普通図柄表示領域２４の図柄が変動表示される。
【００２７】
一般入賞口２０，２１は、所謂、ポケット構造をなし、遊技球が丁度１つ入球可能な大きさで上方に開口している。これら各一般入賞口２０，２１の内部には、遊技球の入賞を検出するための一般入賞口スイッチが備えられ、それら各一般入賞口スイッチＳＷ４が遊技球の１球の入賞を検出する度に、所定数（例えば４個）の賞球が上皿２７Ａに払い出される。
【００２８】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、前記ゲートスイッチへの遊技球の通過を起因に遊技板１１の裏に設けたソレノイドが駆動されると、可動翼片１４Ｃ，１４Ｃが横に倒され、遊技球が可動翼片１４Ｃに案内されて始動入賞口１４に入り得る状態になる。
【００２９】
始動入賞口１４に遊技球が入賞すると、始動入賞口１４内に設けた始動口センサが遊技球を検出し、その検出信号に基づいて表示装置１３が後述するように図柄を変動表示する。なお、表示装置１３が図柄を変動表示している間に、始動入賞口１４に入賞した入賞球は、４個まで保留記憶される。
【００３０】
大入賞口１５は、横長に形成されて、常には、可動扉１５Ｔにて閉塞されている。そして、後述する所定条件の成立によって、パチンコ遊技機１０が「大当たり状態」になると、遊技板１１の裏に設けた駆動装置（例えば、ソレノイド）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したか、の何れかの条件が先に満たされた場合に終了する。
【００３１】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた特定領域センサが遊技球の入賞を検出すると継続権利が発生して、前述した終了条件（可動扉１５Ｔの開放時間が３０秒に達したか、又は、大入賞口１５に遊技球が１０個入賞したか）を満たしてラウンドが終了した後で、連続して次のラウンドが実行される。また、計数入賞口内に設けたカウントセンサが遊技球の入賞を検出すると、前記継続入賞口への入賞球と合わせて、大入賞口１５への入賞球がカウントされ、これらが前記したように計１０個に達したか否かがチェックされる。
【００３２】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、液晶表示部３４となっており、遊技者は、表示枠体２３を通して液晶表示部３４に表示された画像を見ることができる。
【００３３】
液晶表示部３４には、図１に示すように、通常は、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、液晶表示部３４に確定表示されている。そして、始動入賞口１４に遊技球が入賞したときに当否判定し、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００３４】
液晶表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けたゲートスイッチが遊技球の通過を検出したときに当否判定して、例えば、「０」〜「９」までの数字を所定期間に亘って変動表示した後、所定の数字を確定表示する。そして、確定表示された数字が、例えば、奇数の場合に、始動入賞口１４に設けた可動翼片１４Ｃ，１４Ｃが所定期間（例えば、０．４秒）に亘って横に倒される。
【００３５】
図２に示すように、パチンコ遊技機１０は、前面枠１０Ｚの後側に中枠９０を備えている。中枠９０には上記した遊技板１１が固定され、さらにその後方から機構板９１が取り付けられる。そして、中枠９０の後側の周囲を外枠１０Ｘで囲み、その外枠１０Ｘを、図３に示すように、遊技場の遊技島１００に固定することでパチンコ遊技機１０は遊技場に設置されている。遊技島１００には略直方体で上端が開放した遊技球回収ダクト１０１（本発明に係る「遊技媒体回収ダクト」に相当する）が備えられており、パチンコ遊技機１０の後面の下部に取り付けられている（図４参照）。
【００３６】
機構板９１の後面には、図３に示すように、その下端部で左右方向の中心寄り位置にダクト連絡部７０が備えられている。ダクト連絡部７０には、下方を向いて開放した遊技球排出口７０Ａ（本発明の「遊技媒体排出口」に相当する）が設けられ、遊技球排出口７０Ａに設けられた図示しない排出案内斜面によって後面側に遊技球を案内している。そして、機構板９１の後面のうち遊技球排出口７０Ａの下方には、ダクト配置部７０Ｂが設けられ、ここに遊技球回収ダクト１０１が取り付けられる。上記した各入賞口１４，１５，２０，２１、及びアウト口１６に入球した遊技球は、遊技板１１の後面側に回収されると、図示しない遊技球回収レールによって集められ、ダクト連絡部７０の遊技球排出口７０Ａから遊技島１００の遊技球回収ダクト１０１内に排出される。
【００３７】
また、機構板９１の後面側には各種制御回路が備えられている。例えば、ダクト連絡部７０の上方部分のうち後面から見て右側には、電源制御回路９５が取り付けられ、左側には払出制御回路９６が取り付けられている。払出制御回路９６は遊技球を上皿２７Ａに払い出す払出装置７５の制御や本発明の「第１電子機器」及び「発射制御回路」に相当する発射制御回路５０の制御を行っている。また、払出制御回路９６及び電源制御回路９５の上方には、遊技の当否判定を決定したり、液晶表示部３４やスピーカ５６Ｓ等の制御を行う他の制御回路が取り付けられている。
【００３８】
そして、ダクト連絡部７０の後面から見て左下方、即ち、遊技球回収ダクト１０１に近接した位置には、発射制御回路５０がに配置されている。この発射制御回路５０は、中枠９０の下端部（図２参照）に取り付けられ、図４に示すように、パチンコ遊技機１０の後面で機構板９１の下方に露出している。また、中枠９０のうち、この発射制御回路５０に対して遊技球回収ダクト１０１寄りの斜め前方にはケーブル挿通孔９０Ｋが貫通形成されている。そして、発射制御回路５０のうち遊技球回収ダクト１０１側の側方位置からは、右斜め前方に向けて本発明に係るケーブル４５が延び、中枠９０の前面側の遊技球発射装置４０に接続されている。
【００３９】
図５に示すように、中枠９０の前面のうち発射制御回路５０の真裏の位置には、本発明の「第２電子機器」及び「遊技球発射装置」に相当する遊技球発射装置４０が備えられている。
【００４０】
遊技球発射装置４０は、図６に示すように、ベース体４０Ａに発射モータ４１、槌部材４２、操作ノブ連絡部材４３等の部品を組み付けたユニット構造をなしている。パチンコ遊技機１０において遊技球発射装置４０の前面側に配置された操作ノブ２８を操作すると、槌部材４２は発射モータ４１の回転により往復回動する。この槌部材４２の往復回動により遊技球発射装置４０は遊技球を発射する。また、操作ノブ２８の回動位置は、操作ノブ連絡部材４３に伝えられ、回動位置に応じた発射強度で遊技球を発射できるようになっている。そして、発射モータ４１に備えられたケーブルコネクタ４１Ａには、発射制御回路５０からケーブル挿通孔９０Ｋを通って遊技球発射装置４０側へ延びるケーブル４５が接続されている。
【００４１】
図７に示すように、中枠９０には、遊技球発射装置４０の取付位置（図７の中枠９０の左下部分）に遊技球発射装置４０の形状に合わせて後面側に窪ませて形成した発射装置取付部９０Ｈが設けられている。発射装置取付部９０Ｈは、後面側へ垂直に起立する発射装置囲壁９０Ｉによって周縁部を囲われており、発射装置取付部９０Ｈのうち上寄り部分は後方が中枠９０に平行な平坦面の設置板９０Ｊにより閉じられている。そして、発射装置取付部９０Ｈの下寄り位置には、貫通窓９０Ｚが設けられ、遊技球発射装置４０の後面が露出している。
【００４２】
図８に示すように、発射制御回路５０は遊技球発射装置４０を制御する発射制御基板５１と、その発射制御基板５１を収容する基板ケース５２と、発射制御基板５１を収容した基板ケース５２を中枠９０に取り付けるための取付台板６０とから構成される。発射制御基板５１は、例えば横長の矩形状をなし、パチンコ遊技機１０の前後方向に対して後側に図示しない各種電子部品が実装されている。そして、発射制御基板５１の下辺に沿って、パチンコ遊技機１０に備えられた他の電子機器との間でケーブルを接続するためのケーブルコネクタ５１Ｄが複数（例えば２つ）実装されている。なお、発射制御基板５１のパチンコ遊技機１０の前後方向に対して前側には電子部品は実装されていない。
【００４３】
基板ケース５２は、ケース体５３とカバー体５４とからなる。ケース体５３は発射制御基板５１を中枠９０側から覆うと共に、周囲に起立した側面によって発射制御基板５１を位置決めしている。また、ケース体５３の中枠９０側には、基板ケース５２と取付台板６０とを合体させる係止突起５３Ｋが複数（例えば４つ）中枠９０側に突き出して形成されている。そして、ケース体５３の上下方向の側面には、発射制御基板５１のケーブルコネクタ５１Ｄに接続して側方に延びたケーブルをケース体５３の側方で保持するためのフック５３Ｆ，５３Ｆが左右に備えられている。
【００４４】
カバー体５４は、発射制御基板５１を中枠９０と対向する側、即ち、発射制御基板５１に各種電子部品が実装される側から覆っている。カバー体５４のうち発射制御基板５１に対向する面は上下方向に段付き状に形成されている。また、カバー体５４は、発射制御基板５１の下端部分うちケーブルコネクタ５１Ｄに対向する部分にケーブル接続部５４Ｄが設けられ、ケース体５３と合体して基板ケース５２に発射制御基板５１を収容した後からでもケーブルが接続できるようになっている。発射制御基板５１の後面のケーブルコネクタ５１Ｄのうち遊技球回収ダクト１０１側のケーブルコネクタ５１Ｄにケーブル４５が接続されると、ケーブル４５はケーブルコネクタ５１Ｄから引き出されて側方に屈曲し、フック５３Ｆの内側を通って側方に引き回される。  
【００４５】
取付台板６０は、図９に示すように、中枠９０に平行で貫通窓９０Ｚを覆うベース板６０Ａを有している。ベース板６０Ａには、その周縁部から中枠９０方向に囲壁６０Ｂを起立させ、貫通窓９０Ｚから突出する遊技球発射装置４０の後面側にベース板６０Ａが干渉しないようになっている。また、取付台板６０には、その周縁部の複数箇所（例えば３箇所）から中枠９０に平行な螺子孔部６０Ｃが突出形成されており、この螺子孔部６０Ｃで中枠９０に螺子止めされている。取付台板６０のベース板６０Ａの上端と下端のうちケース体５３の係止突起５３Ｋに対応する部分には、基板ケース係止片６０Ｋが設けられ、基板ケース５２と合体できるようになっている。そして、ベース板６０Ａの左寄り位置には、合体した基板ケース５２を抜け止めするための基板ケース係止部６０Ｚが設けられている。基板ケース係止部６０Ｚには、ベース板６０Ａと面一に片持梁状に設けられた片持梁片６０Ｙの先端に、傾斜面を備えた矢尻形状の係止突部６０Ｘが設けられている。この係止突部６０Ｘの基端部がベース板６０Ａから突出することで取付台板６０と合体した基板ケース５２を係止している。以上のように、取付台板６０のベース板６０Ａが貫通窓９０Ｚの全てを覆い、囲壁６０Ｂの先端部が中枠９０に接している構成により、パチンコ遊技機１０の裏面側において、不意に落下した遊技球が貫通窓９０Ｚ内に侵入する虞を低減することが可能である。
【００４６】
図１０には発射制御回路５０の正面図が示されている。発射制御回路５０のうち取付台板６０の右端の下寄り位置には、中枠９０のケーブル挿通孔９０Ｋ（図７参照）側に向かって斜め前方に延びた外側ケーブルカバー壁６１と、その外側ケーブルカバー壁６１より中枠９０側に配置される内側ケーブルカバー壁６２とが設けられている。そして、図１１に示すように、発射制御基板５１のケーブルコネクタ５１Ｄに接続されるケーブル４５は、基板ケース５２からフック５３Ｆの内側を通って側方へ延び、外側ケーブルカバー壁６１と内側ケーブルカバー壁６２との間に挟まれてケーブル挿通孔９０Ｋ側へ引き回される。
【００４７】
図１０におけるＡ−Ａ切断面で切断した断面図を図１２に示す。内側ケーブルカバー壁６２は、中枠９０側の面を窪ませて突部収容凹部６２Ａが形成されている。詳細には、図１３に示すように、内側ケーブルカバー壁６２は、その下縁部における両端部の２位置と、上縁部の１位置とを結ぶ線Ｌを稜線にして屈曲して複数（例えば３つ）の三角壁部６２Ｂ，６２Ｃ，６２Ｄに区画されると共に、それら２つの稜線に挟まれた中央の三角壁部６２Ｃが下方に向かって外側ケーブルカバー壁６１から離れるように傾斜している（図１４参照）。即ち、内側ケーブルカバー壁６２は、発射制御回路５０の側方から中枠９０に向けて緩やかに湾曲している。突部収容凹部６２Ａは、これら各三角壁部６２Ｂ，６２Ｃ，６２Ｄの中枠９０側の面と、中枠９０の貫通窓９０Ｚとの間に形成されている。そして、この突部収容凹部６２Ａには、中枠９０の発射装置取付部９０Ｈにおける発射装置囲壁９０Ｉのうちの左下部分（本発明の「遊技機の後面から突出した突出部分」に相当する）が受容される。
【００４８】
また、図１４に示すように、外側及び内側のケーブルカバー壁６１，６２の下端部の間は開放しており、外側及び内側のケーブルカバー壁６１，６２の間隔が下方に向けて徐々に広がっている。これにより、その下端部の開放部分から外側及び内側のケーブルカバー壁６１，６２の間にケーブル４５が収容することが可能になっている。さらに、２つの稜線と外側ケーブルカバー壁６１との間隔が、遊技球回収ダクト１０１側で短くなっている。これにより、外側及び内側のケーブルカバー壁６１，６２の間に収容するケーブル４５が、ケーブル挿通孔９０Ｋ側に案内されやすくなる。
【００４９】
さらに、外側及び内側のケーブルカバー壁６１，６２の上端部の間には、図１１に示すように、これらを連絡する遊技球侵入防止壁６３が指し渡され、外側及び内側のケーブルカバー壁６１，６２の間及び内側ケーブルカバー壁６２と発射装置囲壁９０Ｉとの間にできる隙間を塞いでいる。
【００５０】
本実施形態に係るパチンコ遊技機１０の構成の説明は以上の通りである。次に、パチンコ遊技機１０の作用効果の説明を行う。パチンコ遊技機１０において、操作ノブ２８を操作すると、遊技球発射装置４０によって遊技球が発射され、遊技領域Ｒ１内に進入する。遊技領域Ｒ１内に進入した遊技球は、遊技領域Ｒ１内を流下しながら各入賞口１４，１５，２０，２１又はアウト口１６に入球し、遊技板１１の裏側に回収され、パチンコ遊技機１０の裏側のダクト連絡部７０から排出される。ダクト連絡部７０から排出された遊技球は、パチンコ遊技機１０の裏側に取り付けられた遊技球回収ダクト１０１に回収される。
【００５１】
パチンコ遊技機１０の後面のうち、遊技球回収ダクト１０１が取り付けられるダクト配置部７０Ｂの側方位置には、発射制御回路５０が配置されている。そして、パチンコ遊技機１０の後面のうち発射制御回路５０に対して遊技球回収ダクト１０１寄りの斜め前方に貫通形成されたケーブル挿通孔９０Ｋにケーブル４５が通され、そのケーブル４５の一端部が遊技球発射装置４０に接続される。一方、ケーブル４５の他端部が発射制御回路５０の側面に接続されている。
【００５２】
ここで、発射制御回路５０には、遊技球回収ダクト１０１側の側面に、発射制御回路５０における後端寄り位置からケーブル挿通孔９０Ｋに向かって斜め前方に延びた外側ケーブルカバー壁６１が設けられている。この外側ケーブルカバー壁６１により、ケーブル４５と遊技球回収ダクト１０１との間を隔絶し、遊技球回収ダクト１０１との接触からケーブル４５を保護することができる。
【００５３】
また、内側ケーブルカバー壁６２は、複数（例えば３つ）の三角壁部６２Ｂ，６２Ｃ，６２Ｄに区画され、そのうち中央の三角壁部６２Ｃを傾斜させることで、外側及び内側のケーブルカバー壁６１，６２の間隔が下方に向けて徐々に広がるように設けられている。これにより、外側ケーブルカバー壁６１と内側ケーブルカバー壁６２との間に挟まれたケーブル４５は、発射制御回路５０の側面から緩やかに屈曲してケーブル挿通孔９０Ｋへと案内されるので（図１５参照）、ケーブル４５への負荷が抑えられる。
【００５４】
さらに、ケーブル４５はフック５３Ｆの内側を通って外側と内側のケーブルカバー壁の６１，６２間に配置されているので、発射制御回路５０の後面から外側と内側のケーブルカバー壁６１，６２までの間でケーブルが広がって遊技球回収ダクト１０１に接触する事態を避けることができる。
【００５５】
ところで、遊技球排出口７０Ａからは、遊技球回収ダクト１０１の上端部開口に遊技球が排出される。その遊技球が遊技球回収ダクト１０１から逸れて外側及び内側のケーブルカバー壁６１，６２上に落下しても、それら外側及び内側のケーブルカバー壁６１，６２の上端部の間は、遊技球侵入防止壁６３によって塞がれているので、遊技球が外側及び内側のケーブルカバー壁６１，６２の間に入り込むことが防がれる。
【００５６】
また、図１６に示すように、内側ケーブルカバー壁６２に形成された突部収容凹部６２Ａに、中枠９０から後方へ突出形成される発射装置囲壁９０Ｉのうちの左下部分を受容して、スペースの有効利用が図られる。
【００５７】
さらに、外側及び内側のケーブルカバー壁６１，６２の間隔が下方に向けて徐々に広がるように設けられているので、ケーブル４５の外側及び内側のケーブルカバー壁６１，６２の間への収容作業が容易になる（図１４参照）。
【００５８】
そして、外側及び内側のケーブルカバー壁６１，６２の下端部の間を開放しているので、外側及び内側のケーブルカバー壁６１，６２の間に下方からケーブルを容易に収容することができる。また、外側及び内側のケーブルカバー壁６１，６２の間隔が下方に向けて徐々に広がっているので、ケーブル４５の外側及び内側のケーブルカバー壁６２の間への収容作業が容易になる。
【００５９】
このように、本実施形態のパチンコ遊技機１０では、パチンコ遊技機１０の後面に取り付けられる遊技島１００の遊技球回収ダクト１０１と、パチンコ遊技機１０の後面のうち遊技球回収ダクト１０１の側方に固定される発射制御回路５０から、遊技球回収ダクト１０１側へ延びるケーブルとの間に外側ケーブルカバー壁６１が設けられている。これにより、遊技球回収ダクト１０１とケーブル４５との接触を防ぐことができる。さらに、外側ケーブルカバー壁６１より中枠９０側に配置されて外側ケーブルカバー壁６１との間でケーブル４５を挟んで対向する内側ケーブルカバー壁６２を設けたので発射制御回路５０の側面から緩やかに屈曲してケーブル挿通孔９０Ｋへと案内されるので、ケーブル４５への負荷が抑えられる。
【００６０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６１】
（１）前記実施形態では、パチンコ遊技機１０に本発明を適用していたが、コイン遊技機やスロットマシン、アレンジボール等に本発明を適用してもよい
【００６２】
（２）前記実施形態では、発射制御回路５０に外側及び内側のケーブルカバー壁６１，６２を設けてケーブル４５をケーブル挿通孔９０Ｋに引き回したが、他の基板ケース等のケーブルに応用してもよい。
【００６３】
（３）前記実施形態では、突部収容凹部６２Ａには発射装置囲壁９０Ｉを受容されたが、遊技球発射装置４０等の電子機器が受容されるようにしてもよい。
【００６４】
（４）内側ケーブルカバー壁６２は、３つの三角壁部６２Ｂ，６２Ｃ，６２Ｄで構成され、突部収容凹部６２Ａを形成しているが、その各壁部の形状は三角形に限るものではなく、多角形の壁部にしてもよい。また、３つ以上の壁部で構成してもよいし、緩やかな曲面で構成してもよい。
【００６５】
（５）外側及び内側のケーブルカバー壁６１，６２は、遊技球回収ダクト１０１におけるパチンコ遊技機１０の後面側から見て左下側に配置したが、この位置に限るものではなく、上方側でもよいし、下方側でもよい。
【図面の簡単な説明】
【００６６】
【図１】本発明の一実施形態に係るパチンコ遊技機の正面図
【図２】パチンコ遊技機の分解斜視図
【図３】パチンコ遊技機の背面図
【図４】ダクト連絡部から排出された遊技球が遊技球回収ダクトに回収される様子を表すパチンコ遊技機の背面の拡大斜視図
【図５】中枠に遊技球発射装置を取り付けた正面図
【図６】遊技球発射装置の正面図
【図７】中枠及び発射制御回路の分解斜視図
【図８】発射制御回路の分解斜視図
【図９】取付台板の斜視図
【図１０】発射制御回路の正面図
【図１１】ケーブル挿通孔に発射制御回路からケーブルを引き回した様子を表す拡大斜視図
【図１２】図１０のＡ−Ａ切断面での断面図
【図１３】取付台板の斜視図
【図１４】ケーブル挿通孔に発射制御回路からケーブルを引き回した様子を表す拡大斜視図
【図１５】外側ケーブルカバー壁を除いてケーブルが引き回される様子を表す拡大斜視図
【図１６】突部収容凹部に遊技球発射装置の突出部分が収容される様子を表す概念図
【符号の説明】
【００６７】
１０    パチンコ遊技機
４０    遊技球発射装置
４５    ケーブル
５０    発射制御回路
５３Ｆ    フック
６０    取付台板
６１    外側ケーブルカバー壁
６２    内側ケーブルカバー壁
６２Ａ    突部収容凹部
６２Ｂ，６２Ｃ，６２Ｄ    三角壁部
６３    遊技球侵入防止壁
７０    ダクト連絡部
７０Ａ    遊技球排出口
７０Ｂ    ダクト配置部
９０    中枠
１００    遊技島
１０１    遊技球回収ダクト
【図１】
2008245947.tif 000003
【図２】
2008245947.tif 000004
【図３】
2008245947.tif 000005
【図４】
2008245947.tif 000006
【図５】
2008245947.tif 000007
【図６】
2008245947.tif 000008
【図７】
2008245947.tif 000009
【図８】
2008245947.tif 000010
【図９】
2008245947.tif 000011
【図１０】
2008245947.tif 000012
【図１１】
2008245947.tif 000013
【図１２】
2008245947.tif 000014
【図１３】
2008245947.tif 000015
【図１４】
2008245947.tif 000016
【図１５】
2008245947.tif 000017
【図１６】
2008245947.tif 000018